(57)【特許請求の範囲】
【請求項１】
地下水流を通過させるため一方の側面より他方の側面に連通する通水路を設け、前記通水路の開口部と地盤との間に透水部材を配置して構成する連続地中壁において、
前記透水部材の表面および掘削溝の壁面に付着する泥膜を水または溶液を噴射することにより除去することができる噴射装置を設けたことを特徴とする、
通水性連続地中壁構造。
【請求項２】
請求項１に記載の通水性連続地中壁構造において、前記噴射装置は、地上部から前記透水部材まで配置した周面の軸方向にスリットを有する外管と、前記外管内に収容した前記外管のスリットから水または溶液を噴射可能なノズルを有する内管とより構成したことを特徴とする、通水性連続地中壁構造。
【請求項３】
請求項１または請求項２に記載の通水性連続地中壁構造において、前記内管のノズルおよび外管のスリットは前記透水部材を背にして連続地中壁の外方に向けて位置させることを特徴とする、通水性連続地中壁構造。
【請求項４】
請求項１乃至請求項３のいずれかに記載の通水性連続地中壁構造において、前記内管は外管内を上下動自在となるように設置したことを特徴とする、通水性連続地中壁構造。
【請求項５】
請求項１乃至請求項４のいずれかに記載の通水性連続地中壁構造において、地上部から前記透水部材まで到達させて、透水部材へ流動体を供給する管体と透水部材に含まれた泥水などを地上に排出する管体とを配置したことを特徴とする、通水性連続地中壁構造。
【発明の詳細な説明】
【０００１】
【発明の属する技術分野】
本発明は、通水性連続地中壁構造に関する。
【０００２】
【従来の技術】
連続地中壁を構築した際に地下水流を確保するための技術として、連続地中壁の地下水流の存在する位置に、通水路を設置することにより、地下水流を遮断することなく連続地中壁中を通す技術が知られている。
【０００３】
【発明が解決しようとする課題】
しかしながら、連続地中壁の途上に通水路を設けても連続地中壁と掘削溝の壁面との間に泥膜が付着し、通水路を閉塞してしまうため、地下水の通過を阻害することが判明した。
このことから、連続地中壁の途上に通水管を設けても充分な通水が得られず、結果として地下水流を遮断した状態と変わらなくなってしまう。
そのため地下水流の上流側では地下水の上昇、湧水、家屋の湿気やカビの発生、地下室への浸水、植生の変化などの様々な環境への悪影響が発生する。
さらに下流側でも井戸涸れ、水腐れ、地下水位の低下による地盤沈下、植生の変化などの環境への悪影響が発生する。
本発明は以上の問題点を解決するためになされたもので、その目的とするところは、通水路を閉塞する泥膜を破壊し、連続地中壁を構築してあっても地下水流と同程度の通水性を確保するための、通水性連続地中壁構造を提供することにある。
【０００４】
【課題を解決するための手段】
本発明は、地下水流を通過させるため一方の側面より他方の側面に連通する通水路を設け、前記通水路の開口部と地盤との間に透水部材を配置して構成する連続地中壁において、前記透水部材の表面および掘削溝の壁面に付着する泥膜を水または溶液を噴射することにより除去することができる噴射装置を設けたことを特徴とする、通水性連続地中壁構造である。
また本発明は、前述した通水性連続地中壁構造において、前記噴射装置は、地上部から前記透水部材まで配置した周面の軸方向にスリットを有する外管と、前記外管内に収容した前記外管のスリットから水または溶液を噴射可能なノズルを有する内管とより構成したことを特徴とする、通水性連続地中壁構造である。
また本発明は、前述した通水性連続地中壁構造において、前記内管のノズルおよび外管のスリットは前記透水部材を背にして連続地中壁の外方に向けて位置させることを特徴とする、通水性連続地中壁構造である。
また本発明は、前述したいずれかの通水性連続地中壁構造において、前記内管は外管内を上下動自在となるように設置したことを特徴とする、通水性連続地中壁構造である。
さらに本発明は、前述したいずれかの通水性連続地中壁構造において、地上部から前記透水部材まで到達させて、透水部材へ流動体を供給する管体と透水部材に含まれた泥水などを地上に排出する管体とを配置したことを特徴とする、通水性連続地中壁構造である。
【０００５】
【発明の実施の形態１】
以下図面を参照しながら本発明の実施の形態について説明する。
【０００６】
＜イ＞全体の構成
図１および図２に示すように通水性連続地中壁構造１は、掘削溝の壁面２に対向するシート３と、このシート３，３間に配置した通水路４と、通水路４の地下水流５の上流側の開口部を覆って配置した透水部材４１と、シート３，３間にコンクリートを充填してシート３，３、透水部材４１および通水管４２を掘削溝の壁面２に密着させて構築する連続地中壁６において、地下水流５の上流側にあたる連続地中壁６の外側面と掘削溝の壁面２との間の上下方向に配置する外管７と、前記外管７に収容する噴射装置８と、前記連続地中壁６と通水路４の透水部材４１との間の上下方向に配置する泥水置換用管体９とより構成する。
【０００７】
＜ロ＞通水路
図１および図２に示すように通水路４は、地下水流５と同レベルにあたる連続地中壁６の途上を横断して設ける。
具体的には、連続地中壁６を貫通する通水管４２と、この通水管４２の地下水流５の上流側の開口部を被覆する透水部材４１とより構成する。
透水部材４１としては、例えばエンドレンマットなどの公知の部材を採用することが考えられる。
【０００８】
＜ハ＞外管
図１および図２に示すように外管７は、連続地中壁６と掘削溝の壁面２との間の上下方向に配置され、その全長は地上部より透水部材４１の底部に至っている。  図３および図４に示すように、外管７の周面の透水部材４１と重なる位置の軸方向には、透水部材４１を背にして掘削溝の壁面２に向けてスリット７１が形成してある。
【０００９】
＜ニ＞噴射装置
噴射装置８は、外管７に収容される内管８１と、その先端部周面に設けたノズル８２とよりなる。
ノズル８２は、透水部材４１を背にして内管８１と直交方向に突出し、スリット７１より水または分解剤などの溶液を噴射可能に構成している。
また内管８１は、その上部の地上部に設けた昇降装置８３により外管７内を上下動自在に構成する。
昇降装置８３は、図３に示すように内管８１の昇降動力源となる駆動用モータ８３１と、ギアボックス８３２と、内管昇降用ギア部８３３を有するソケット管８３４とより構成している。
内管昇降用ギア部８３３は、例えばラック・ピニオン構造としてソケット管８３４を回転させることにより、内管８１の上下動を行い、透水部材４１の表面の全長に亘って付着する泥膜１０を破壊して除去することができる。
外管７は噴射装置８と共に、連続地中壁６中に適宜必要な本数を配置することが考えられる。
また、噴射装置８に設けるノズル８２も複数設置することが考えられる。
【００１０】
＜ホ＞泥水置換用管体
図１および図２に示すように泥水置換用管体９は、流入管体９１および排出管体９２より構成する。
流入管体９１は透水部材４１と連続地中壁６との間に、透水部材４１の上部付近に開口を位置するように配置する管体である。
排出管体９２は透水部材４１と連続地中壁６との間に、透水部材４１の底部付近に開口を位置するように配置する管体である。
流入管体９１より清水などの流動体を透水部材４１に供給し、透水部材４１の表面付近に位置する破壊された泥膜１０に逆水圧を加え、泥膜１０の結合を脆弱化させる。
そして排出管体９２より、透水部材４１に含まれる泥水などと共に破壊した泥膜１０を地上に吸引排出する。
さらに排出管体９２により、吸引排水した泥水などに換えて透水部材４１に清水を供給することにより、透水部材４１に高い集水性および覆水性を確保する。
なお泥水置換用管体９は、逆水圧を加える透水部材４１の幅により適宜、必要となる本数を配置することが考えられる。
また、泥水置換用管体９を設けずに、噴射装置８のみでも充分泥膜１０を除去できる。
【００１１】
【作用】
以下図面を参照しながら通水性連続地中壁構造による泥膜の破壊作用について説明する。
【００１２】
＜イ＞噴射装置による泥膜の破壊（図４）
通水路４の透水部材４１の表面に付着した泥膜１０は、外管７に収容したノズル８２より水または分解剤などの溶液を噴射して破壊・除去する。
この際内管８２を昇降させることによって、透水部材４１の表面の全長に亘って付着する泥膜１０を破壊・除去できる。
【００１３】
＜ロ＞破壊した泥膜の除去
前述した工程により破壊された透水部材４１表面の泥膜１０は、透水部材４１の表面に再び付着しないように連続地中壁６と透水部材４１との間に配置した泥水置換用管体９により除去する。
詳しくは流入管体９１内に高圧水を供給することにより、透水部材４１に逆圧力を付与して泥膜１０の結合を脆弱化させると共に、排出管体９２により透水部材４１に含まれた泥水などと共に泥膜１０を地上へ吸引排出して透水部材４１の表面付近より除去する。
さらに排出管体９２により、吸引排水した泥水などに換えて透水部材４１に清水を供給することにより、透水部材４１に高い集水性および覆水性を確保する。
【００１４】
【発明の効果】
本発明は以上説明したようになるから次のような効果を得ることができる。
＜イ＞  既存する地下水流を遮断することなく連続地中壁を配置できる。
そのため、上流側においては地下水の上昇、湧水、家屋の湿気やカビの発生、地下水への浸水、植生の変化などの様々な環境への悪影響を発生させない。
また、下流側においては井戸涸れ、水腐れ、地下水位の低下による地盤沈下、植生の変化などの環境への悪影響を発生させない。
＜ロ＞  透水部材内に噴射装置および泥水置換用管を埋め込んであるので、目詰まりによる通水性の低下に対して積極的にメンテナンスが可能である。
【図面の簡単な説明】
【図１】  本発明に係る連続地中壁の断面図
【図２】  図１のII−II間の横断面図
【図３】  噴射装置の説明図
【図４】  図３のIV−IV間の横断面図
【図５】  噴射による泥膜破壊時の説明図
【図１】
0003750088.tif 000002
【図２】
0003750088.tif 000003
【図３】
0003750088.tif 000004
【図４】
0003750088.tif 000005
【図５】
0003750088.tif 000006